(57)【要約】      （修正有）【課題】脳血管障害片麻痺者のトイレ動作の自立若しくは、トイレ動作時の介護者の介助量の軽減を図る手すりを提供する。【解決手段】直径２０〜３０ｍｍ且つ少なくとも長さ７００ｍｍの筒状の支持型手すり１と、該支持型手すりをトイレ側壁面から２００〜２５０ｍｍ且つ床面から７００ｍｍの位置に垂直に設置する取り付け用部材とから構成される。また、前記手すり本体は、平面視Ｉ字若しくはＬ字形状からなり、長手方向略中央部に弾性体からなるクッション部材が取り付けられる。【選択図】図４
0003173155.tif 000002
【実用新案登録請求の範囲】
【請求項１】
トイレに設置する手すりであって、直径２０〜３０ｍｍ且つ少なくとも長さ７００ｍｍの筒状の手すり本体と、該手すり本体をトイレ側壁面から２００〜２５０ｍｍ且つ床面から７００ｍｍの位置に垂直に設置する取り付け用部材とから構成されることを特徴とする支持型手すり。
【請求項２】
前記手すり本体は、平面視Ｉ字若しくはＬ字形状からなり、長手方向略中央部に弾性体からなるクッション部材が取り付けられたことを特徴とする請求項１に記載の支持型手すり。
【考案の詳細な説明】
【技術分野】
【０００１】
本考案は、トイレに設置する手すりであり、とくに脳血管障害片麻痺の身体障害者が自立してトイレを使用するため、或いは介護者の介護量を軽減させるための手すりに関するものである。
【背景技術】
【０００２】
麻痺側上肢が実用的に使用することができない脳血管障害片麻痺者にとって、洋式便座を利用する排泄動作（以下、トイレ動作という）は自立が困難な日常生活動作の一つであり、このトイレ動作を補助するものとして一般的に手すりが使用されている。
【０００３】
しかしながら、この手すりは、一般にトイレの壁面から６０〜８０ｍｍ離れた位置に取り付けられるＬ字型手すりであり、利用者の便座からの立ち座り動作や移乗動作の補助には好適に使用することができるものであるが、トイレ動作時の下衣の上げ下げを行なう際には、健側上肢を使用する必要があるため一端手すりから手を離した状態で体を支持することとなり、バランスを崩すおそれがある。そのため、トイレ動作に対する不安から自宅での自立ができずに介護施設での生活を余儀なくされる傾向がある。
【０００４】
そこで、側壁部に対し、ほぼ１２センチ〜２０センチの張出量を有して身体支持具が設けられたトイレ室がが提案されている（特許文献１参照。）。
【先行技術文献】
【特許文献】
【０００５】
【特許文献１】特開２０００−３００４７４号公報
【考案の概要】
【考案が解決しようとする課題】
【０００６】
しかしながら、上記の特許文献１に記載されているトイレ室は、トイレ室の側壁部にほぼ１２センチ〜２０センチの張出量を有して身体支持具を設けて、トイレ使用者が頭を側壁部に付け、上半身を身体支持具にもたれ掛け、トイレ側壁部と身体支持具である手すりを使って身体を支持するものである。すなわち本考案の床面から所定位置に立設する手すりを利用して麻痺側上肢を保持して身体を安定させることは考慮されないものであった。
【０００７】
本考案は、上記問題点に鑑みなされたものであり、手すりに頭部や麻痺側上肢をもたれ掛けてることによって、健側上肢の自由度を高め、トイレ動作時の下衣の上げ下げ動作を容易とする支持型手すりを提供することを目的とするものである。
【課題を解決するための手段】
【０００８】
このため本考案の支持型手すりは、直径２０〜３０ｍｍ且つ少なくとも長さ７００ｍｍの筒状の手すり本体と、該手すり本体をトイレ側壁面から２００〜２５０ｍｍ且つ床面から７００ｍｍの位置に垂直に設置する取り付け用部材とから構成されることを第１の特徴とする。
【０００９】
また、前記手すり本体は、平面視Ｉ字若しくはＬ字形状からなり、長手方向略中央部に弾性体からなるクッション部材が取り付けられたことを第２の特徴とする。
【００１０】
上記クッション部材は、厚さ５〜１０ｍｍのウレタン樹脂等が用いられ、その表面を着脱可能なカバー材で覆ってもよい。
【考案の効果】
【００１１】
本考案の支持型手すりは、以上のように構成されているので次のような優れた効果を有する。
（１）直径２０〜３０ｍｍ且つ少なくとも長さ７００ｍｍの筒状の手すり本体と、該手すり本体をトイレ側壁面から２００〜２５０ｍｍ且つ床面から７００ｍｍの位置に垂直に設置する取り付け用部材とから構成されており、利用者は手すり本体に頭部或いは麻痺側上肢（胸部など）を支持し、自由度が向上した健側上肢によってトイレ動作時の下衣の上げ下げ動作が容易となるという効果がある。
（２）しかも、手すり本体は、平面視Ｉ字若しくはＬ字形状からなり、長手方向略中央部に弾性体からなるクッション部材が取り付けられており、利用者が把持し易いと共に、頭部や麻痺側上肢への負担を軽減できるという効果がある。
【図面の簡単な説明】
【００１２】
【図１】本考案に係る支持型手すりの一実施例を示す斜視図である。
【図２】本考案に係る支持型手すりを設置例を示す平面説明図である。
【図３】図２の側面説明図である。
【図４】本考案に係る支持型手すりの使用状態を示す斜視図である。
【考案を実施するための形態】
【００１３】
以下、本考案の実施の形態を、図面に示す実施例に基づいて説明するが、本考案が本実施例に限定されないことは言うまでもない。尚、本実施例においては、平面視Ｉ字形状の手すりを例として説明する。図１は、本考案に係る支持型手すりの一実施例を示す斜視図、図２は本考案に係る支持型手すりを設置例を示す平面説明図、図３は図２の側面説明図、図４は本考案に係る支持型手すりの使用状態を示す斜視図である。
【実施例】
【００１４】
図１に示すように、本考案の支持型手すり１は、平面視Ｉ字形状のステンレス製筒体２からなり、側面視コ字形状に成形され、先端部にはそれぞれ取り付け部材３、３が取り付けられている。そして、筒体２の外周面にはウレタン樹脂製クッション体４が貼着され、このクッション体４にはカバー５が着脱可能に取り付けれている。ここで、筒体２の大きさは直径２０〜３０ｍｍでコ字形状の中央部分の長さ７００ｍｍ、コ字形状の両側部の長さが２５０ｍｍに成形されており、クッション体４は厚み５ｍｍのウレタン樹脂を使用した。また、カバー５の素材には合成皮革が使用され、ファスナー（図示せず）によって開閉可能である。
【００１５】
図２及び図３は、本考案の支持型手すり１をトイレ内に設置する際の配置を示しており、図２は平面説明図、図３は側面説明図である。図に示すように、支持型手すり１は洋式便座６の右側前方に配置され取り付け用部材３を介して側壁面にボルトによって取り付けられており、支持型手すり１の長さＡは７００ｍｍ、支持型手すり１の下端とトイレの床面からの距離Ｂは７００ｍｍとされ、また便座６の先端側から支持型手すり１の取り付け延長線までの距離Ｃは２００ｍｍとなっている。尚、支持型手すり１と側壁面との間隔Ｅは、上述した２５０ｍｍとなる。
【００１６】
上記の構成からなる、本考案の支持型手すりによれば、平面視Ｉ字形状の筒体で形成されており、側壁面から２００〜２５０ｍｍ、床面から７００ｍｍ離れて取り付けることができるため、脳血管障害片麻痺者などが手すりで麻痺側の胸部や頭部を支持して、健側上肢を自由に動かすことができ、容易に下衣の上げ下げ動作ができる。しかも手すりの中央部にはクッション体とカバーが取り付けされており、利用者が把持し易いと共に、安全に麻痺側の胸部や頭部をもたれかけることができる。
【００１７】
次に、図４により本考案の支持型手すりの作用を説明する。図に示すようにトイレ動作を行なう利用者が下衣の上げ下げ動作を行なうためには、健側の上肢が自由に動かせる状態が必要となる。本考案の支持型手すりは、側壁面から２００〜２５０ｍｍ且つ床面から７００ｍｍの位置に垂直に設置されているため、麻痺側の上肢や頭部を安定して支持することができる。この状態で、健側の上肢を使用して下衣の上げ下げ動作を行なえば安全にトイレ動作を行なうことが可能となる。また、例えば介護者がトイレ動作を補助する場合でも、支持型手すりで利用者を支持させることで、介助し易くなる。
【００１８】
以上、本考案による支持型手すりによれば、直径２０〜３０ｍｍ且つ少なくとも長さ７００ｍｍの筒状の手すり本体と、該手すり本体をトイレ側壁面から２００〜２５０ｍｍ且つ床面から７００ｍｍの位置に垂直に設置する取り付け用部材とから構成されており、利用者は手すり本体に頭部或いは麻痺側上肢（胸部など）を支持して確実に身体を保持することができ、自由度が向上した健側上肢によってトイレ動作時の下衣の上げ下げ動作を行なうことができる。尚、本実施例においては平面視Ｉ字形状の手すりを例に説明を行なったが、平面視Ｌ字形状の手すりであっても同様の効果を有することは無論である。
【符号の説明】
【００１９】
１          支持型手すり
２          筒体
３          取り付け部材
４          クッション体
５          カバー
６          便座
【図１】
0003173155.tif 000003
【図２】
0003173155.tif 000004
【図３】
0003173155.tif 000005
【図４】
0003173155.tif 000006